(57)【要約】  本発明はページングメッセージの送受信方法、アクセスネットワーク装置及び端末装置を提供し、該ページングメッセージの送信方法は、アクセスネットワーク装置がページングメッセージを決定することと、該アクセスネットワーク装置がページング開始時刻及びページング送信持続時間を決定することと、該アクセスネットワーク装置が該ページング開始時刻及び該ページング送信持続時間に基づいて、ビーム走査方式で端末装置に該ページングメッセージを送信することと、を含む。従って、ページングメッセージの受信品質を向上させることができる。
2019526204.tif 000002
【特許請求の範囲】
【請求項１】
ページングメッセージの送信方法であって、
アクセスネットワーク装置がページングメッセージを決定することと、
前記アクセスネットワーク装置がページング開始時刻及びページング送信持続時間を決定することと、
前記アクセスネットワーク装置が前記ページング開始時刻及び前記ページング送信持続時間に基づいて、ビーム走査方式で端末装置に前記ページングメッセージを送信することと、を含む、ことを特徴とする前記ページングメッセージの送信方法。
【請求項２】
前記アクセスネットワーク装置がページング開始時刻及びページング送信持続時間を決定することは、
前記アクセスネットワーク装置が前記端末装置のページング周期に基づいて、前記ページング開始時刻及び前記ページング送信持続時間を決定することを含むことを特徴とする
請求項１に記載の方法。
【請求項３】
前記ページング周期は第一時間帯及び第二時間帯を含み、前記第一時間帯は前記端末装置が前記ページングメッセージを持続的に監視する時間帯であり、前記第二時間帯は前記端末装置がスリープ状態にある時間帯であり、
前記アクセスネットワーク装置が前記端末装置のページング周期に基づいて、前記ページング送信持続時間を決定することは、
前記アクセスネットワーク装置が前記第一時間帯の時間長以下の値を前記ページング送信持続時間として決定することを含むことを特徴とする
請求項２に記載の方法。
【請求項４】
前記アクセスネットワーク装置がページング開始時刻及びページング送信持続時間を決定する前に、前記方法は、さらに、
前記アクセスネットワーク装置がコアネットワーク装置から送信された第一メッセージを受信することを含み、前記第一メッセージには前記第一時間帯の時間長を示すための情報が含まれることを特徴とする
請求項３に記載の方法。
【請求項５】
前記方法は、さらに、
前記アクセスネットワーク装置が前記コアネットワーク装置に第二メッセージを送信することを含み、前記第二メッセージには前記第一時間帯の時間長を示すための情報が含まれることを特徴とする
請求項３に記載の方法。
【請求項６】
前記ページング周期を前記第一時間帯の時間長のＮ倍とし、Ｎを１より大きい正の整数とすることを特徴とする
請求項３〜５のいずれか１項に記載の方法。
【請求項７】
前記アクセスネットワーク装置が前記ページング開始時刻及び前記ページング送信持続時間に基づいて、ビーム走査方式で端末装置に前記ページングメッセージを送信する前に、前記方法は、さらに、
前記アクセスネットワーク装置が前記第一時間帯の時間長に基づいて、前記ページングメッセージを送信するために必要なページングビームの数をＭとして決定することを含み、Ｍを１以上の正の整数とすることを特徴とする
請求項３〜６のいずれか１項に記載の方法。
【請求項８】
前記アクセスネットワーク装置が前記ページング開始時刻及び前記ページング送信持続時間に基づいて、ビーム走査方式で端末装置にページングメッセージを送信することは、
前記アクセスネットワーク装置がＬ個のページングビームを用いて前記ページング開始時刻にビーム走査方式で端末装置に前記ページングメッセージを送信し始めることを含み、前記Ｌ個のページングビームのうちのいずれか２つのページングビームに対応するページング送信持続時間が異なり、Ｌを２以上の正の整数とすることを特徴とする
請求項３〜６のいずれか１項に記載の方法。
【請求項９】
Ｌの値が２であり、２つのページングビームのうち一方のページングビームに対応するページング送信持続時間が前記端末装置の所在セルのセル特定持続監視時間又はプリセット時間であり、前記２つのページングビームのうち他方のページングビームに対応するページング送信持続時間が前記端末装置の端末装置特定持続監視時間であることを特徴とする
請求項８に記載の方法。
【請求項１０】
前記方法は、さらに、
前記アクセスネットワーク装置が前記端末装置にシステムメッセージを送信することを含み、前記システムメッセージには前記第一時間帯の時間長を示すための情報が含まれることを特徴とする
請求項３〜９のいずれか１項に記載の方法。
【請求項１１】
前記方法は、さらに、
前記アクセスネットワーク装置が前記端末装置から送信された、前記ページングメッセージの受信に成功したことを示すための応答メッセージを受信すると、前記アクセスネットワーク装置が前記端末装置に前記ページングメッセージを送信することを停止することを含むことを特徴とする
請求項１〜１０のいずれか１項に記載の方法。
【請求項１２】
ページングメッセージの受信方法であって、
端末装置がページング開始時刻及びページング受信持続時間を決定することと、
前記端末装置が前記ページング開始時刻及び前記ページング受信持続時間に基づいて、ページングメッセージを受信することと、を含む、ことを特徴とする前記ページングメッセージの受信方法。
【請求項１３】
前記ページングメッセージはアクセスネットワーク装置が前記ページング開始時刻及びページング送信持続時間に基づいてビーム走査方式で送信するものであり、前記ページング受信持続時間が前記ページング送信持続時間以上であることを特徴とする
請求項１２に記載の方法。
【請求項１４】
前記端末装置がページング開始時刻及びページング受信持続時間を決定することは、
前記端末装置が前記端末装置のページング周期に基づいて、前記ページング開始時刻及び前記ページング受信持続時間を決定することを含むことを特徴とする
請求項１２又は１３に記載の方法。
【請求項１５】
前記ページング周期は第一時間帯及び第二時間帯を含み、前記第一時間帯は前記端末装置が前記ページングメッセージを持続的に監視する時間帯であり、前記第二時間帯は前記端末装置がスリープ状態にある時間帯であり、
前記端末装置が前記端末装置のページング周期に基づいて、前記ページング受信持続時間を決定することは、
前記端末装置が前記第一時間帯の時間長を前記ページング受信持続時間として決定することを含むことを特徴とする
請求項１４に記載の方法。
【請求項１６】
前記端末装置が前記ページング開始時刻及び前記ページング受信持続時間に基づいて、前記ページングメッセージを受信することは、
前記端末装置が前記ページング開始時刻に第一タイマーを起動し、且つ同時に前記第一時間帯内に前記ページングメッセージを持続的に監視し始め、前記第一タイマーの計時周期を前記ページング周期とすることと、
前記端末装置が前記第一時間帯内に前記ページングメッセージが感知されない場合、前記端末装置がスリープ状態に入ることと、
前記端末装置は前記第一タイマーがタイムアウトになったと確定するとき、前記端末装置が前記ページングメッセージを改めて持続的に監視し始めることと、を含むことを特徴とする
請求項１５に記載の方法。
【請求項１７】
前記端末装置が前記ページング開始時刻及び前記ページング受信持続時間に基づいて、前記ページングメッセージを受信することは、
前記端末装置が前記ページング開始時刻から始まった前記第一時間帯内に前記ページングメッセージを持続的に監視することと、
前記端末装置が前記第一時間帯内に前記ページングメッセージが感知されない場合、前記端末装置が前記第一時間帯の終了時刻に第二タイマーを起動し、且つ同時にスリープ状態に入り、前記第二タイマーの計時周期を前記第二時間帯の時間長とすることと、
前記端末装置は前記第二タイマーがタイムアウトになったと確定するとき、前記端末装置が前記ページングメッセージを改めて持続的に監視し始めることと、を含むことを特徴とする
請求項１５に記載の方法。
【請求項１８】
前記ページング周期を前記第一時間帯の時間長のＮ倍とし、Ｎを１より大きい正の整数とすることを特徴とする
請求項１５〜１７のいずれか１項に記載の方法。
【請求項１９】
前記ページングメッセージは前記アクセスネットワーク装置がＬ個のページングビームを用いて前記ページング開始時刻にビーム走査方式で送信し始めるものであり、前記Ｌ個のページングビームのうちのいずれか２つのページングビームに対応するページング送信持続時間が異なり、前記第一時間帯の時間長を前記Ｌ個のページングビームに対応するページング送信持続時間の最大値以上とし、Ｌを２以上の正の整数とすることを特徴とする
請求項１５〜１８のいずれか１項に記載の方法。
【請求項２０】
Ｌの値が２であり、２つのページングビームのうち一方のページングビームに対応するページング送信持続時間が前記端末装置の所在セルのセル特定持続監視時間又はプリセット時間であり、前記２つのページングビームのうち他方のページングビームに対応するページング送信持続時間が前記端末装置の端末装置特定持続監視時間であることを特徴とする
請求項１９に記載の方法。
【請求項２１】
前記方法は、さらに、
前記端末装置が前記アクセスネットワーク装置から送信されたシステムメッセージを受信することを含み、前記システムメッセージには前記第一時間帯の時間長を示すための情報が含まれることを特徴とする
請求項１５〜２０のいずれか１項に記載の方法。
【請求項２２】
前記方法は、さらに、
前記端末装置が前記アクセスネットワーク装置に前記ページングメッセージの受信に成功したことを示すための応答メッセージを送信することと、
前記端末装置が前記アクセスネットワーク装置から送信された前記応答メッセージに対する確認メッセージを受信すると、前記端末装置が第三タイマーを起動し、且つ同時にスリープ状態に入り、又は、前記端末装置が前記確認メッセージを受信する時刻からＫ個の時間単位を遅延させた時刻に前記第三タイマーを起動し、且つ同時にスリープ状態に入り、Ｋを１以上の正の整数とすることと、を含むことを特徴とする
請求項１３〜２１のいずれか１項に記載の方法。
【請求項２３】
アクセスネットワーク装置であって、決定モジュールと送受信モジュールとを含み、
決定モジュールが、ページングメッセージを決定することに用いられ、
前記決定モジュールが、さらにページング開始時刻及びページング送信持続時間を決定することに用いられ、
送受信モジュールが、前記ページング開始時刻及び前記ページング送信持続時間に基づいて、ビーム走査方式で端末装置に前記ページングメッセージを送信することによって、ことを特徴とする前記アクセスネットワーク装置。
【請求項２４】
ページング開始時刻及びページング送信持続時間を決定することにおいて、前記決定モジュールは、具体的に、
前記端末装置のページング周期に基づいて、前記ページング開始時刻及び前記ページング送信持続時間を決定することに用いられることを特徴とする
請求項２３に記載のアクセスネットワーク装置。
【請求項２５】
前記ページング周期は第一時間帯及び第二時間帯を含み、前記第一時間帯は前記端末装置が前記ページングメッセージを持続的に監視する時間帯であり、前記第二時間帯は前記端末装置がスリープ状態にある時間帯であり、
前記端末装置のページング周期に基づいて、前記ページング送信持続時間を決定することにおいて、前記決定モジュールは、具体的に、
前記第一時間帯の時間長以下の値を前記ページング送信持続時間として決定することに用いられることを特徴とする
請求項２４に記載のアクセスネットワーク装置。
【請求項２６】
前記決定モジュールがページング開始時刻及びページング送信持続時間を決定する前に、前記送受信モジュールは、さらに、
コアネットワーク装置から送信された第一メッセージを受信することに用いられ、前記第一メッセージには前記第一時間帯の時間長を示すための情報が含まれることを特徴とする
請求項２５に記載のアクセスネットワーク装置。
【請求項２７】
前記送受信モジュールは、さらに、
前記コアネットワーク装置に第二メッセージを送信することに用いられ、前記第二メッセージには前記第一時間帯の時間長を示すための情報が含まれることを特徴とする
請求項２５に記載のアクセスネットワーク装置。
【請求項２８】
前記ページング周期を前記第一時間帯の時間長のＮ倍とし、Ｎを１より大きい正の整数とすることを特徴とする
請求項２５〜２７のいずれか１項に記載のアクセスネットワーク装置。
【請求項２９】
前記送受信モジュールが前記ページング開始時刻及び前記ページング送信持続時間に基づいて、ビーム走査方式で端末装置に前記ページングメッセージを送信する前に、前記決定モジュールは、さらに、
前記第一時間帯の時間長に基づいて、前記ページングメッセージを送信するために必要なページングビームの数をＭとして決定することに用いられ、Ｍを１以上の正の整数とすることを特徴とする
請求項２５〜２８のいずれか１項に記載のアクセスネットワーク装置。
【請求項３０】
前記ページング開始時刻及び前記ページング送信持続時間に基づいて、ビーム走査方式で端末装置にページングメッセージを送信することにおいて、前記送受信モジュールは、具体的に、
Ｌ個のページングビームを用いて前記ページング開始時刻にビーム走査方式で端末装置に前記ページングメッセージを送信し始めることに用いられ、前記Ｌ個のページングビームのうちのいずれか２つのページングビームに対応するページング送信持続時間が異なり、Ｌを２以上の正の整数とすることを特徴とする
請求項２５〜２８のいずれか１項に記載のアクセスネットワーク装置。
【請求項３１】
Ｌの値が２であり、２つのページングビームのうち一方のページングビームに対応するページング送信持続時間が前記端末装置の所在セルのセル特定持続監視時間又はプリセット時間であり、前記２つのページングビームのうち他方のページングビームに対応するページング送信持続時間が前記端末装置の端末装置特定持続監視時間であることを特徴とする
請求項３０に記載のアクセスネットワーク装置。
【請求項３２】
前記送受信モジュールは、さらに、
前記端末装置にシステムメッセージを送信することに用いられ、前記システムメッセージには前記第一時間帯の時間長を示すための情報が含まれることを特徴とする
請求項２４〜３１のいずれか１項に記載のアクセスネットワーク装置。
【請求項３３】
前記送受信モジュールは、さらに、
前記端末装置から送信された、前記ページングメッセージの受信に成功したことを示すための応答メッセージを受信すると、前記端末装置に前記ページングメッセージを送信することを停止することに用いられることを特徴とする
請求項２３〜３２のいずれか１項に記載のアクセスネットワーク装置。
【請求項３４】
端末装置であって、
ページング開始時刻及びページング受信持続時間を決定するための決定モジュールと、
前記ページング開始時刻及び前記ページング受信持続時間に基づいて、ページングメッセージを受信するための送受信モジュールと、を含む、ことを特徴とする前記端末装置。
【請求項３５】
前記ページングメッセージはアクセスネットワーク装置が前記ページング開始時刻及びページング送信持続時間に基づいてビーム走査方式で送信するものであり、前記ページング受信持続時間が前記ページング送信持続時間以上であることを特徴とする
請求項３４に記載の端末装置。
【請求項３６】
ページング開始時刻及びページング受信持続時間を決定することにおいて、前記決定モジュールは、具体的に、
前記端末装置のページング周期に基づいて、前記ページング開始時刻及び前記ページング受信持続時間を決定することに用いられることを特徴とする
請求項３４又は３５に記載の端末装置。
【請求項３７】
前記ページング周期は第一時間帯及び第二時間帯を含み、前記第一時間帯は前記端末装置が前記ページングメッセージを持続的に監視する時間帯であり、前記第二時間帯は前記端末装置がスリープ状態にある時間帯であり、
前記端末装置のページング周期に基づいて、前記ページング受信持続時間を決定することにおいて、前記決定モジュールは、具体的に、
前記第一時間帯の時間長を前記ページング受信持続時間として決定することに用いられることを特徴とする
請求項３６に記載の端末装置。
【請求項３８】
前記ページング開始時刻及び前記ページング受信持続時間に基づいて、ページングメッセージを受信することにおいて、前記送受信モジュールは、具体的に、
前記ページング開始時刻に第一タイマーを起動し、且つ同時に前記第一時間帯内に前記ページングメッセージを持続的に監視し始め、前記第一タイマーの計時周期を前記ページング周期とし、
前記第一時間帯内に前記ページングメッセージが感知されない場合、前記端末装置をスリープ状態に入らせることに用いられ、
前記決定モジュールは、さらに、前記第一タイマーがタイムアウトになったと確定するとき、前記送受信モジュールに前記ページングメッセージを改めて持続的に監視し始めさせることに用いられることを特徴とする
請求項３７に記載の端末装置。
【請求項３９】
前記ページング開始時刻及び前記ページング受信持続時間に基づいて、前記ページングメッセージを受信することにおいて、前記受信モジュールは、具体的に、
前記ページング開始時刻から始まった前記第一時間帯内に前記ページングメッセージを持続的に監視し、
前記第一時間帯内に前記ページングメッセージが感知されない場合、前記第一時間帯の終了時刻に第二タイマーを起動し、且つ同時に前記端末装置をスリープ状態に入らせることに用いられ、前記第二タイマーの計時周期を前記第二時間帯の時間長とし、
前記決定モジュールは、さらに、前記第二タイマーがタイムアウトになったと確定するとき、前記端末装置に前記ページングメッセージを改めて持続的に監視し始めさせることに用いられることを特徴とする
請求項３７に記載の端末装置。
【請求項４０】
前記ページング周期を前記第一時間帯の時間長のＮ倍とし、Ｎを１より大きい正の整数とすることを特徴とする
請求項３７〜３９のいずれか１項に記載の端末装置。
【請求項４１】
前記ページングメッセージは前記アクセスネットワーク装置がＬ個のページングビームを用いて前記ページング開始時刻にビーム走査方式で送信し始めるものであり、前記Ｌ個のページングビームのうちのいずれか２つのページングビームに対応するページング送信持続時間が異なり、前記第一時間帯の時間長を前記Ｌ個のページングビームに対応するページング送信持続時間の最大値以上とし、Ｌを２以上の正の整数とすることを特徴とする
請求項３７〜４０のいずれか１項に記載の端末装置。
【請求項４２】
Ｌの値が２であり、２つのページングビームのうち一方のページングビームに対応するページング送信持続時間が前記端末装置の所在セルのセル特定持続監視時間又はプリセット時間であり、前記２つのページングビームのうち他方のページングビームに対応するページング送信持続時間が前記端末装置の端末装置特定持続監視時間であることを特徴とする
請求項４１に記載の端末装置。
【請求項４３】
前記送受信モジュールは、さらに、
前記アクセスネットワーク装置から送信されたシステムメッセージを受信することに用いられ、前記システムメッセージには前記第一時間帯の時間長を示すための情報が含まれることを特徴とする
請求項３７〜４２のいずれか１項に記載の端末装置。
【請求項４４】
前記送受信モジュールは、さらに、
前記アクセスネットワーク装置に前記ページングメッセージの受信に成功したことを示すための応答メッセージを送信し、
前記アクセスネットワーク装置から送信された前記応答メッセージに対する確認メッセージを受信すると、第三タイマーを起動し、且つ同時に前記端末装置をスリープ状態に入らせ、又は、前記確認メッセージを受信する時刻からＫ個の時間単位を遅延させた時刻に前記第三タイマーを起動し、且つ同時に前記端末装置をスリープ状態に入らせることに用いられ、Ｋを１以上の正の整数とすることを特徴とする
請求項３５〜４３のいずれか１項に記載の端末装置。
【発明の詳細な説明】
【技術分野】
【０００１】
本発明の実施例は通信分野に関し、より具体的に、ページングメッセージの送受信方法、アクセスネットワーク装置及び端末装置に関する。
【背景技術】
【０００２】
ページングはネットワークがユーザー装置（ＵＥ：Ｕｓｅｒ  Ｅｑｕｉｐｍｅｎｔ）をサーチするためのシグナリングに関するプロセスであり、ネットワークにおいて着呼側がページングで応答することによってしか通常に通信できず、シグナリング負荷を低減するために、ロングタームエボリューションシステム（ＬＴＥ：Ｌｏｎｇ  Ｔｅｒｍ  Ｅｖｏｌｕｔｉｏｎ）ネットワークにおいて、ページングトリガー条件は、ＵＥ宛ての着呼（モビリティ管理エンティティ（ＭＭＥ：Ｍｏｂｉｌｉｔｙ  Ｍａｎａｇｅｍｅｎｔ  Ｅｎｔｉｔｙ）によって）、システムメッセージの変更（基地局ｅＮＢによって開始される）、地震津波警報システム（Ｅｔｗｓ：Ｅａｒｔｈｑｕａｋｅ  ａｎｄ  Ｔｓｕｎａｍｉ  Ｗａｒｎｉｎｇ  Ｓｙｓｔｅｍ）の３つが含まれる。
【０００３】
従来のＬＴＥネットワークにおいて、ページング過程の実現はタイミングアドバンス（ＴＡ：Ｔｉｍｉｎｇ  Ａｄｖａｎｃｅ）によって行われ、ページングはトラッキングエリアコード（ＴＡＣ：Ｔｒａｃｋｉｎｇ  Ａｒｅａ  Ｃｏｄｅ）内で行われ、しかもページングメッセージはＴＡＣ内で全方向に送信され、端末はＴＡＣのいかなる方角でもページングメッセージを受信することができる。将来の通信システムには高周波数帯（６ＧＨｚより大きい）が導入されることになり、高周波数帯でのアクセスにおいて、経路損失が周波数変換の平方に正比例になっているため、高周波数帯は短距離内に大きく損失してしまう。従来のＬＴＥネットワークにおけるページングメッセージ送信方法を用いると、ページングメッセージの受信品質が悪くなってしまう。
【発明の概要】
【発明が解決しようとする課題】
【０００４】
本願は、ページングメッセージの受信品質を向上させることができるページングメッセージの送受信方法、アクセスネットワーク装置及び端末装置を提供する。
【課題を解決するための手段】
【０００５】
第一態様に係るページングメッセージの送信方法であって、アクセスネットワーク装置がページングメッセージを決定することと、該アクセスネットワーク装置がページング開始時刻及びページング送信持続時間を決定することと、該アクセスネットワーク装置が該ページング開始時刻及び該ページング送信持続時間に基づいて、ビーム走査方式で端末装置に該ページングメッセージを送信することと、を含む。
【０００６】
従って、本願の実施例に係るページングメッセージの送信方法は、アクセスネットワーク装置がビーム走査方式で端末装置にページングメッセージを送信することにより、ページングメッセージの受信品質を向上させる。
【０００７】
第一態様を参照して、第一態様の第一可能な実現手段では、該アクセスネットワーク装置がページング開始時刻及びページング送信持続時間を決定することは、該アクセスネットワーク装置が該端末装置のページング周期に基づいて、該ページング開始時刻及び該ページング送信持続時間を決定することを含む。
【０００８】
第一態様の第一可能な実現手段を参照して、第一態様の第二可能な実現手段では、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、該アクセスネットワーク装置が該端末装置のページング周期に基づいて、該ページング送信持続時間を決定することは、該アクセスネットワーク装置が該第一時間帯の時間長以下の値を該ページング送信持続時間として決定することを含む。
【０００９】
第一態様の第二可能な実現手段を参照して、第一態様の第三可能な実現手段では、該アクセスネットワーク装置がページング開始時刻及びページング送信持続時間を決定する前に、該方法は、さらに、該アクセスネットワーク装置がコアネットワーク装置から送信された第一メッセージを受信することを含み、該第一メッセージには該第一時間帯の時間長を示すための情報が含まれる。
【００１０】
第一態様の第二可能な実現手段を参照して、第一態様の第四可能な実現手段では、該方法は、さらに、該アクセスネットワーク装置が該コアネットワーク装置に第二メッセージを送信することを含み、該第二メッセージには該第一時間帯の時間長を示すための情報が含まれる。
【００１１】
第一態様の第二〜第四可能な実現手段のいずれか１つの可能な実現手段を参照して、第一態様の第五可能な実現手段では、該ページング周期を該第一時間帯の時間長のＮ倍とし、Ｎを１より大きい正の整数とする。
【００１２】
第一態様の第二〜第五可能な実現手段のいずれか１つの可能な実現手段を参照して、第一態様の第六可能な実現手段では、該アクセスネットワーク装置が該ページング開始時刻及び該ページング送信持続時間に基づいて、ビーム走査方式で端末装置に該ページングメッセージを送信する前に、該方法は、さらに、該アクセスネットワーク装置が該第一時間帯の時間長に基づいて、該ページングメッセージを送信するために必要なページングビームの数をＭとして決定することを含み、Ｍを１以上の正の整数とする。
【００１３】
第一態様の第二〜第五可能な実現手段のいずれか１つの可能な実現手段を参照して、第一態様の第七可能な実現手段では、該アクセスネットワーク装置が該ページング開始時刻及び該ページング送信持続時間に基づいて、ビーム走査方式で端末装置にページングメッセージを送信することは、該アクセスネットワーク装置がＬ個のページングビームを用いて該ページング開始時刻にビーム走査方式で端末装置に該ページングメッセージを送信し始めることを含み、該Ｌ個のページングビームのうちのいずれか２つのページングビームに対応するページング送信持続時間が異なり、Ｌを２以上の正の整数とする。
【００１４】
第一態様の第七可能な実現手段を参照して、第一態様の第八可能な実現手段では、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【００１５】
第一態様の第二〜第八可能な実現手段のいずれか１つの可能な実現手段を参照して、第一態様の第九可能な実現手段では、該アクセスネットワーク装置が該端末装置にシステムメッセージを送信し、該システムメッセージには該第一時間帯の時間長を示すための情報が含まれる。
【００１６】
第一態様、又は第一態様の第一〜第九可能な実現手段のいずれか１つの可能な実現手段を参照して、第一態様の第十可能な実現手段では、該方法は、さらに、該アクセスネットワーク装置が該端末装置から送信された、該ページングメッセージの受信に成功したことを示すための応答メッセージを受信すると、該アクセスネットワーク装置が該端末装置に該ページングメッセージを送信することを停止する。
【００１７】
第二態様に係るページングメッセージの受信方法であって、端末装置がページング開始時刻及びページング受信持続時間を決定することと、該端末装置が該ページング開始時刻及び該ページング受信持続時間に基づいて、ページングメッセージを受信することと、を含む。
【００１８】
従って、本願の実施例に係るページングメッセージの受信方法は、端末装置が決定されたページング開始時刻及びページング受信持続時間に基づいてページングメッセージを受信することにより、ページングメッセージの受信品質を向上させる。
【００１９】
第二態様を参照して、第二態様の第一可能な実現手段では、該ページングメッセージはアクセスネットワーク装置が該ページング開始時刻及びページング送信持続時間に基づいてビーム走査方式で送信するものであり、該ページング受信持続時間が該ページング送信持続時間以上である。
【００２０】
ページングメッセージはアクセスネットワーク装置がビーム走査方式で送信するものであるため、ページングメッセージの受信品質をさらに向上させることができる。
【００２１】
第二態様、又は第二態様の第一可能な実現手段を参照して、第二態様の第二可能な実現手段では、該端末装置がページング開始時刻及びページング受信持続時間を決定することは、該端末装置が該端末装置のページング周期に基づいて、該ページング開始時刻及び該ページング受信持続時間を決定することを含む。
【００２２】
第二態様の第二可能な実現手段を参照して、第二態様の第三可能な実現手段では、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、該端末装置が該端末装置のページング周期に基づいて、該ページング受信持続時間を決定することは、該端末装置が該第一時間帯の時間長を該ページング受信持続時間として決定することを含む。
【００２３】
第二態様の第三可能な実現手段を参照して、第二態様の第四可能な実現手段では、該端末装置が該ページング開始時刻及び該ページング受信持続時間に基づいて、ページングメッセージを受信することは、該端末装置が該ページング開始時刻に第一タイマーを起動し、且つ同時に該第一時間帯内に該ページングメッセージを持続的に監視し始め、該第一タイマーの計時周期を該ページング周期とすることと、該端末装置が該第一時間帯内に該ページングメッセージが感知されない場合、該端末装置がスリープ状態に入ることと、該端末装置は該第一タイマーがタイムアウトになったと確定するとき、該端末装置が該ページングメッセージを改めて持続的に監視し始めることと、を含む。
【００２４】
第二態様の第三可能な実現手段を参照して、第二態様の第五可能な実現手段では、該端末装置が該ページング開始時刻及び該ページング受信持続時間に基づいて、該ページングメッセージを受信することは、該端末装置が該ページング開始時刻から始まった該第一時間帯内に該ページングメッセージを持続的に監視することと、該端末装置が該第一時間帯内に該ページングメッセージが感知されない場合、該端末装置が該第一時間帯の終了時刻に第二タイマーを起動し、且つ同時にスリープ状態に入り、該第二タイマーの計時周期を該第二時間帯の時間長とすることと、該端末装置は該第二タイマーがタイムアウトになったと確定するとき、該端末装置が該ページングメッセージを改めて持続的に監視し始めることと、を含む。
【００２５】
第二態様の第三〜第五可能な実現手段のいずれか１つの可能な実現手段を参照して、第二態様の第六可能な実現手段では、該ページング周期を該第一時間帯の時間長のＮ倍とし、Ｎを１より大きい正の整数とする。
【００２６】
第二態様の第三〜第六可能な実現手段のいずれか１つの可能な実現手段を参照して、第二態様の第七可能な実現手段では、該ページングメッセージは該アクセスネットワーク装置がＬ個のページングビームを用いて該ページング開始時刻にビーム走査方式で送信し始めるものであり、該Ｌ個のページングビームのうちのいずれか２つのページングビームに対応するページング送信持続時間が異なり、該第一時間帯の時間長を該Ｌ個のページングビームに対応するページング送信持続時間の最大値以上とし、Ｌを２以上の正の整数とする。
【００２７】
第二態様の第七可能な実現手段を参照して、第二態様の第八可能な実現手段では、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【００２８】
第二態様の第三〜第八可能な実現手段のいずれか１つの可能な実現手段を参照して、第二態様の第九可能な実現手段では、該方法は、さらに、該端末装置が該アクセスネットワーク装置から送信されたシステムメッセージを受信することを含み、該システムメッセージには該第一時間帯の時間長を示すための情報が含まれる。
【００２９】
第二態様の第一〜第九可能な実現手段のいずれか１つの可能な実現手段を参照して、第二態様の第十可能な実現手段では、該方法は、さらに、該端末装置が該アクセスネットワーク装置に該ページングメッセージの受信に成功したことを示すための応答メッセージを送信することと、該端末装置が該アクセスネットワーク装置から送信された該応答メッセージに対する確認メッセージを受信すると、該端末装置が第三タイマーを起動し、且つ同時にスリープ状態に入り、又は、該端末装置が該確認メッセージを受信する時刻からＫ個の時間単位を遅延させた時刻に該第三タイマーを起動し、且つ同時にスリープ状態に入り、Ｋを１以上の正の整数とすることと、を含む。
【００３０】
第三態様に係るアクセスネットワーク装置であって、上記第一態様又は第一態様のいずれか１つの可能な実現手段における方法を実行することに用いられる。具体的に、該アクセスネットワーク装置は上記第一態様又は第一態様のいずれか１つの可能な実現手段における方法を実行するための機能モジュールを含む。
【００３１】
第四態様に係る端末装置であって、上記第二態様又は第二態様のいずれか１つの可能な実現手段における方法を実行することに用いられる。具体的に、該端末装置は上記第二態様又は第二態様のいずれか１つの可能な実現手段における方法を実行するための機能モジュールを含む。
【００３２】
第五態様に係るアクセスネットワーク装置であって、プロセッサ、メモリ、送受信機を備え、該プロセッサ、該メモリ及び該送受信機がバスシステムによって接続され、該メモリは命令を記憶することに用いられ、該プロセッサは該メモリに記憶される命令を実行することにより、該送受信機を制御して情報を送受信させ、該アクセスネットワーク装置に上記第一態様又は第一態様のいずれか１つの可能な実現手段における方法を実行させることに用いられる。
【００３３】
第六態様に係る端末装置であって、プロセッサ、メモリ及び送受信機を備え、該プロセッサ、該メモリ及び該送受信機がバスシステムによって接続され、該メモリは命令を記憶することに用いられ、該プロセッサは該メモリに記憶される命令を実行することにより、該送受信機を制御して情報を送受信させ、該端末装置に上記第二態様又は第二態様のいずれか１つの可能な実現手段における方法を実行させることに用いられる。
【００３４】
第七態様に係るコンピュータ可読媒体であって、コンピュータプログラムを記憶することに用いられ、該コンピュータプログラムは第一態様又は第一態様のいずれか１つの可能な実現手段における方法を実行するための命令を含む。
【００３５】
第八態様に係るコンピュータ可読媒体であって、コンピュータプログラムを記憶することに用いられ、該コンピュータプログラムは第二態様又は第二態様のいずれか１つの可能な実現手段における方法を実行するための命令を含む。
【図面の簡単な説明】
【００３６】
【図１】本発明の実施例の応用シーンの模式図である。
【図２】本発明の実施例に係るページングメッセージの送信方法の模式的なフローチャートである。
【図３】本発明の実施例に係る端末装置のページング周期の模式図である。
【図４】本発明の実施例に係るページングメッセージの送信方法の他の模式的なフローチャートである。
【図５】本発明の実施例に係るビーム走査方式の模式図である
【図６】本発明の他の実施例に係るビーム走査方式の模式図である。
【図７】本発明の実施例に係るページングメッセージの受信方法の模式的なフローチャートである。
【図８】本発明の他の実施例に係る端末装置がページングメッセージを受信する方法の模式図である。
【図９】本発明の別の実施例に係る端末装置がページングメッセージを受信する方法の模式図である。
【図１０】本発明の実施例に係るアクセスネットワーク装置の模式的なブロック図である。
【図１１】本発明の実施例に係る端末装置の模式的なブロック図である。
【図１２】本発明の他の実施例に係るアクセスネットワーク装置の模式的なブロック図である。
【図１３】本発明の他の実施例に係る端末装置の模式的なブロック図である。
【発明を実施するための形態】
【００３７】
本発明の実施例の技術案をより明確に説明するために、以下に本発明の実施例の記述において必要な図面を用いて簡単に説明を行うが、当然ながら、以下に記載する図面は単に本発明の実施例の一例であって、当業者であれば、創造的な労力を要することなく、これらの図面に基づいて他の図面に想到しうる。
【００３８】
以下、本発明の実施例の図面を参照しながら、本発明の実施例の技術案を明確且つ完全に説明し、無論、説明される実施例は本発明の実施例の一部であり、実施例のすべてではない。本発明の実施例に基づき、当業者が進歩性のある労働を必要とせずに得られる他の実施例は、いずれも本発明の保護範囲に属する。
【００３９】
本発明の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、ユニバーサルモバイルテレコミュニケーションズシステム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はマイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又は新無線（ＮＲ：Ｎｅｗ  Ｒａｄｉｏ）システムに適用されてもよいと理解すべきである。
【００４０】
本発明の実施例において、用語「ネットワーク」及び「システム」が常に交互に使用されているが、当業者がその意味を理解できる。本発明の実施例に関わる端末装置は無線通信機能を有する様々な携帯端末、車載装置、ウェアラブル端末、コンピューティングデバイス又は無線モデムに接続される他の処理装置、及び様々なタイプのユーザー装置（ＵＥ：Ｕｓｅｒ  Ｅｑｕｉｐｍｅｎｔ）、移動局（ＭＳ：Ｍｏｂｉｌｅ  Ｓｔａｔｉｏｎ）、端末（Ｔｅｒｍｉｎａｌ）、端末装置（Ｔｅｒｍｉｎａｌ  Ｄｅｖｉｃｅ）等を含んでもよい。説明しやすくするために、本発明の実施例において、以上に言及される装置は端末装置と総称される。
【００４１】
本発明の実施例に関わるアクセスネットワーク装置は無線アクセスネットワークに配置される、端末装置に無線通信機能を提供するための装置である。アクセスネットワーク装置は基地局であってもよく、前記基地局は様々なタイプのマクロ基地局、マイクロ基地局、中継局、アクセスポイント等を含んでもよい。様々な無線アクセス技術を用いたシステムにおいて、基地局機能を有する装置の名称が異なる可能性がある。例えば、ＬＴＥネットワークにおいて、発展型ノードＢ（ｅＮＢ又は「ｅＮｏｄｅＢ：Ｅｖｏｌｖｅｄ  ＮｏｄｅＢ）と称され、第三世代（３Ｇ：３ｒｄ  Ｇｅｎｅｒａｔｉｏｎ）ネットワークにおいて、ノードＢ（Ｎｏｄｅ  Ｂ）と称される。
【００４２】
図１は本発明の実施例の応用シーン図である。図１に示すように、アクセスネットワーク装置は端末装置にページングメッセージを送信することができる。一般的に、アクセスネットワーク装置が端末装置にページングメッセージを送信するトリガー条件は、端末装置の着呼側（コアネットワーク装置、例えば、モビリティ管理エンティティ（ＭＭＥ：Ｍｏｂｉｌｉｔｙ  Ｍａｎａｇｅｍｅｎｔ  Ｅｎｔｉｔｙ）でトリガーされる）、システムメッセージの変更（アクセスネットワーク装置でトリガーされる）及び地震津波警報システム（Ｅｔｗｓ：Ｅａｒｔｈｑｕａｋｅ  ａｎｄ  Ｔｓｕｎａｍｉ  Ｗａｒｎｉｎｇ  Ｓｙｓｔｅｍ）の３つを含む。
【００４３】
アクセスネットワーク装置は端末装置にページングメッセージを送信するとき、同じページングタイミングを有する端末装置のページング内容を１つのページングメッセージに集中し、ページングメッセージの内容をページング制御チャネル（ＰＣＣＨ：Ｐａｇｉｎｇ  Ｃｏｎｔｒｏｌ  Ｃｈａｎｎｅｌ）論理チャネルにマッピングして、端末装置の間欠受信（ＤＲＸ：Ｄｉｓｃｏｎｔｉｎｕｏｕｓ  Ｒｅｃｅｐｔｉｏｎ）サイクルに基づいて下り物理共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を介して端末装置に送信することができる。それに対応して、端末装置はＤＲＸサイクルに基づいて下り物理共有チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）を検出し、ページングメッセージがあるかどうかを検査し、ＰＤＣＣＨにページングメッセージがあると示す場合、ＵＥはページングメッセージが自体に属するかどうかを決定し、自体に属する場合、端末装置がページングメッセージを受信する。
【００４４】
図２は本発明の実施例に係るページングメッセージの送信方法の模式的なフローチャートであり、図２に示すように、方法１００は、
アクセスネットワーク装置がページングメッセージを決定するＳ１１０と、
該アクセスネットワーク装置がページング開始時刻及びページング送信持続時間を決定するＳ１２０と、
該アクセスネットワーク装置が該ページング開始時刻及び該ページング送信持続時間に基づいて、ビーム走査方式で端末装置に該ページングメッセージを送信するＳ１３０と、を含む。
【００４５】
従って、本発明の実施例に係るページングメッセージの送信方法は、アクセスネットワーク装置がビーム走査方式で端末装置にページングメッセージを送信することにより、ページングメッセージの受信品質を向上させる。
【００４６】
ページング送信持続時間がページングメッセージを送信するためのページングビームの走査持続時間であると理解される。
【００４７】
具体的に、Ｓ１１０では、アクセスネットワーク装置がページングメッセージを決定することは、アクセスネットワーク装置がＭＭＥから送信されたページングメッセージを受信し、アクセスネットワーク装置が受信されたページングメッセージを端末装置に送信すべきページングメッセージとして決定し、又は、システムメッセージが変化するとき、アクセスネットワーク装置が端末装置に送信すべきページングメッセージを生成することであってもよい。
【００４８】
好ましくは、一例として、アクセスネットワーク装置が端末装置のページング周期に基づいて、ページング開始時刻及びページング送信持続時間を決定する。図３に示すように、端末装置のページング周期は第一時間帯及び第二時間帯を含み、第一時間帯は端末装置がページングメッセージを持続的に監視する時間帯であり、第二時間帯は端末装置がスリープ状態にある時間帯である。アクセスネットワーク装置が該第一時間帯の時間長以下の値を該ページング送信持続時間として決定する。つまり、アクセスネットワーク装置はページングビームの走査時間を、端末装置がページングメッセージを持続的に監視する時間長の以下にするように確保する必要がある。
【００４９】
好ましくは、一例として、アクセスネットワーク装置は公式（１）に説明される方法でページング開始時刻ｔｓを決定してもよい。
ＳＦＮ  ｍｏｄ  Ｔ＝（Ｔ  ｄｉｖ  Ｎ）＊（ＵＥ＿ＩＤ  ｍｏｄ  Ｎ）（１）
【００５０】
ＳＦＮがシステムフレーム番号、つまり現在のＵＥの所在無線フレームのフレーム番号を示し、Ｔが端末装置のページング周期を示し、Ｎ：Ｎ＝ｍｉｎ（Ｔ、ｎＢ）、ｎＢがページング頻度を示し、ＵＥ＿ＩＤがページングメッセージに含まれ、ＵＥ＿ＩＤが国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）ｍｏｄ  １０２４と同様であり、ｄｉｖが除算演算を示し、ｍｏｄが剰余演算を示す。
【００５１】
本発明の実施例における時間単位が無線フレームであるが、本発明はこれに限らず、時間単位がさらに他の値であってもよいと理解される。
【００５２】
一好適例として、Ｓ１２０の前に、アクセスネットワーク装置がコアネットワーク装置から送信された第一メッセージを受信し、該第一メッセージには該第一時間帯の時間長を示すための情報が含まれる。従って、アクセスネットワーク装置は該第一時間帯の時間長Ｔ′に基づいてページング持続時間を決定することができる。この例では、Ｔ′はコアネットワーク装置により決定されるものであり、コアネットワーク装置は端末装置の情報に基づいてＴ′を決定することができ、例えば、コアネットワーク装置は端末装置が開始したサービスの属性に基づいてＴ′を決定することができる。
【００５３】
好ましくは、一例として、アクセスネットワーク装置がアクセスネットワーク装置の実現によってＴ′を決定し、その後、アクセスネットワーク装置がコアネットワーク装置に第二メッセージを送信し、該第二メッセージには該Ｔ′を示すための情報が含まれる。この例では、コアネットワーク装置はアクセスネットワーク装置により決定されたＴ′に基づいて端末装置のページング周期Ｔを決定して、端末装置のページング周期ＴをＴ′以上にするように確保し、複数のアクセスネットワーク装置がコアネットワーク装置に送信したＴ′は異なる場合、コアネットワーク装置が端末装置のページング周期Ｔを確定するとき、Ｔ′を最大値にすると理解される。
【００５４】
さらに、端末装置のページング周期Ｔを第一時間帯の時間長のＮ倍としてもよく、Ｎを１より大きい正の整数とする。又はＴをＴ′の整数倍にすると説明される。
【００５５】
上記実施例において、好ましくは、図４に示すように、Ｓ１３０の前に、方法１００は、さらに、
該アクセスネットワーク装置が該第一時間帯の時間長に基づいて、該ページングメッセージを送信するために必要なページングビームの数をＭとして決定し、Ｍを１以上の正の整数とするＳ１４０を含む。
【００５６】
つまり、アクセスネットワーク装置がＴ′を決定した後、Ｔ′に基づいてページングメッセージを送信するために必要なページングビームの数を決定することにより、ページングビームのＴ′内のアクセスネットワーク装置のカバーエリアにおける完全な走査を確保する。
【００５７】
例えば、アクセスネットワーク装置が単一のページングビームを用いてビーム走査方式で端末装置にページングメッセージを送信すると決定する場合、アクセスネットワーク装置は一方向に走査することができ、例えば、図５に示すように、時計回り又は逆時計回りに走査することができる。
【００５８】
又は、アクセスネットワーク装置が複数のビームを用いてビーム走査方式で端末装置にページングメッセージを送信し、例えば、図６に示すように、アクセスネットワーク装置が２つのビームを用いてビーム走査方式で端末装置にページングメッセージを送信する場合、アクセスネットワーク装置が２つのビームを用いて対向方向に沿って走査する。又は、アクセスネットワーク装置が３つのビームを用いてビーム走査方式で端末装置にページングメッセージを送信すると決定する場合、アクセスネットワーク装置は１２０度の夾角を有する３つのビームを用いて、一方向に沿って走査し、例えば時計回り又は逆時計回りに走査することができる。
【００５９】
好ましくは、一実施例として、アクセスネットワーク装置がＬ個のページングビームを用いて該ページング開始時刻にビーム走査方式で端末装置に該ページングメッセージを送信し始め、該Ｌ個のページングビームのうちのいずれか２つのページングビームに対応するページング送信持続時間が異なり、Ｌを２以上の正の整数とする。Ｌ個のビームのうち各ビームを用いてアクセスネットワーク装置のカバーエリアの一部エリアのみを走査してもよい。
【００６０】
さらに好ましくは、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。この例では、セル特定持続監視時間はアクセスネットワーク装置の実現によって決定されてもよく、プリセット時間はプロトコルに規定されてもよく、端末装置特定持続監視時間はコアネットワーク装置が端末装置の情報に基づいて決定されてもよく、端末装置特定持続監視時間はさらにアクセスネットワーク装置により決定されてもよい。
【００６１】
好ましくは、一例として、アクセスネットワーク装置が端末装置にシステムメッセージを送信し、該システムメッセージには該第一時間帯の時間長を示すための情報が含まれ、又は第一時間帯の時間長をシステム情報によって端末装置に設定することができると理解される。又は、アクセスネットワーク装置は端末装置と間欠受信（ＤＲＸ：Ｄｉｓｃｏｎｔｉｎｕｏｕｓ  Ｒｅｃｅｐｔｉｏｎ）サイクルについての協議を行うとき、第一時間帯の時間長を端末装置に設定することができる。
【００６２】
上記実施例において、好ましくは、アクセスネットワーク装置が該端末装置から送信された、該ページングメッセージの受信に成功したことを示すための応答メッセージを受信すると、該アクセスネットワーク装置が該端末装置にページングメッセージを送信することを停止する。例えば、端末装置がページングメッセージを受信した後、端末装置がアクセス過程を開始してページングメッセージに応答し、アクセスネットワーク装置が端末装置からのページング応答指示を受信すると、ページングメッセージの送信を停止する。且つ、ページングメッセージには複数の端末装置に対するページングメッセージが含まれる場合、アクセスネットワーク装置はすべての端末装置から送信された応答メッセージを受信しなければ、ページングメッセージの送信を停止できないと理解される。
【００６３】
以上は図２〜図６を参照してアクセスネットワーク装置側から本発明の実施例に係るページングメッセージの送信方法を詳しく説明したが、以下に図７〜図９を参照して端末装置側から本発明の実施例に係るページングメッセージの受信方法を説明する。図７に示すように、方法２００は、
端末装置がページング開始時刻及びページング受信持続時間を決定するＳ２１０と、
該端末装置が該ページング開始時刻及び該ページング受信持続時間に基づいて、ページングメッセージを受信するＳ２２０と、を含む。
【００６４】
従って、本発明の実施例に係るページングメッセージの受信方法は、端末装置がページング開始時刻及びページング受信持続時間に基づいてページングメッセージを受信することにより、ページングメッセージの受信品質を向上させる。
【００６５】
本発明の実施例において、好ましくは、該ページングメッセージはアクセスネットワーク装置が該ページング開始時刻及びページング送信持続時間に基づいてビーム走査方式で送信するものであり、該ページング受信持続時間が該ページング送信持続時間以上である。ページングメッセージはアクセスネットワーク装置がビーム走査方式で送信するものであるため、ページングメッセージの受信品質をさらに向上させることができる。
【００６６】
本発明の実施例において、好ましくは、該端末装置がページング開始時刻及びページング受信持続時間を決定することは、該端末装置が該端末装置のページング周期に基づいて、該ページング開始時刻及び該ページング受信持続時間を決定することを含む。
【００６７】
本発明の実施例において、好ましくは、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、
該端末装置が該端末装置のページング周期に基づいて、該ページング受信持続時間を決定することは、該端末装置が該第一時間帯の時間長を該ページング受信持続時間として決定することを含む。
【００６８】
好ましくは、端末装置は公式（２）に説明される方法でページング開始時刻ｔｓを決定してもよい。
ＳＦＮ  ｍｏｄ  Ｔ＝（Ｔ  ｄｉｖ  Ｎ）＊（ＵＥ＿ＩＤ  ｍｏｄ  Ｎ）（２）
【００６９】
ＳＦＮがシステムフレーム番号、つまり現在のＵＥの所在無線フレームのフレーム番号を示し、Ｔが端末装置のページング周期を示し、アクセスネットワーク装置がシステムメッセージＳＩＢ２によってこのパラメータを端末装置に放送し、Ｎ：Ｎ＝ｍｉｎ（Ｔ、ｎＢ）、ｎＢがページング頻度を示し、端末装置がＳＩＢ２からｎＢを読み取り、ＵＥ＿ＩＤがページングメッセージに含まれ、ＵＥ＿ＩＤが国際移動体加入者識別番号（ＩＭＳＩ：Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ）ｍｏｄ  １０２４と同様であり、ｄｉｖが除算演算を示し、ｍｏｄが剰余演算を示す。
【００７０】
本発明の実施例における時間単位が無線フレームであるが、本発明はこれに限らず、時間単位がさらに他の値であってもよいと理解される。
【００７１】
本発明の実施例において、好ましくは、図３に示すように、該端末装置が該ページング開始時刻及び該ページング受信持続時間に基づいてページングメッセージを受信することは、該端末装置が該ページング開始時刻に第一タイマーを起動し始め、且つ同時に該第一時間帯内に該ページングメッセージを持続的に監視し始め、該第一タイマーの計時周期を該ページング周期とすることと、該端末装置が該第一時間帯内に該ページングメッセージが感知されない場合、該端末装置がスリープ状態に入ることと、該端末装置は該第一タイマーがタイムアウトになったと確定するとき、該端末装置が該ページングメッセージを改めて持続的に監視し始めることと、を含む。
【００７２】
本発明の実施例において、好ましくは、図８に示すように、該端末装置が該ページング開始時刻及び該ページング受信持続時間に基づいて、該ページングメッセージを受信することは、該端末装置が該ページング開始時刻から始まった該第一時間帯内に該ページングメッセージを持続的に監視することと、該端末装置が該第一時間帯内に該ページングメッセージが感知されない場合、該端末装置が該第一時間帯の終了時刻に第二タイマーを起動し、且つ同時にスリープ状態に入り、該第二タイマーの計時周期を該第二時間帯の時間長とすることと、該端末装置は該第二タイマーがタイムアウトになったと確定するとき、該端末装置が該ページングメッセージを改めて持続的に監視し始めることと、を含む。
【００７３】
つまり、端末装置がページング開始時刻にページングメッセージを監視し始め、監視時間が第一時間帯に対応する時間長になると、端末装置がスリープ状態に入るとともに、タイマーを起動し、タイマーがタイムアウトになったと、端末装置がページングメッセージを改めて監視し始める。
【００７４】
本発明の実施例において、好ましくは、該ページング周期を該第一時間帯の時間長のＮ倍とし、Ｎを１より大きい正の整数とする。
【００７５】
本発明の実施例において、好ましくは、該ページングメッセージは該アクセスネットワーク装置がＬ個のページングビームを用いて該ページング開始時刻にビーム走査方式で送信し始めるものであり、該Ｌ個のページングビームのうちのいずれか２つのページングビームに対応するページング送信持続時間が異なり、該第一時間帯の時間長を該Ｌ個のページングビームに対応するページング送信持続時間の最大値以上とし、Ｌを２以上の正の整数とする。
【００７６】
つまり、アクセスネットワーク装置が複数のページングビームを用いてページングメッセージを送信し、且つ複数のビームに対応するページング送信持続時間が異なる場合、端末装置が複数のページングビームに対応するページング送信持続時間の最大値に基づいてページングメッセージを受信し、端末装置がページングメッセージを受信すると、端末装置がページングメッセージの受信を停止する。
【００７７】
本発明の実施例において、好ましくは、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【００７８】
本発明の実施例において、好ましくは、該端末装置が該アクセスネットワーク装置から送信されたシステムメッセージを受信し、該システムメッセージには該第一時間帯の時間長を示すための情報が含まれる。
【００７９】
本発明の実施例において、好ましくは、図９に示すように、端末装置がアクセスネットワーク装置から送信されたページングメッセージを受信すると、該端末装置が該アクセスネットワーク装置に該ページングメッセージの受信に成功したことを示すための応答メッセージを送信し、該端末装置が該アクセスネットワーク装置から送信された該応答メッセージに対する確認メッセージを受信すると、該端末装置が第三タイマーを起動し、且つ同時にスリープ状態に入り、又は、該端末装置が該確認メッセージを受信する時刻からＫ個の時間単位を遅延させた時刻に該第三タイマーを起動し、且つ同時にスリープ状態に入り、Ｋを１以上の正の整数とする。
【００８０】
一例として、Ｎの数値はプロトコルに規定されてもよいし、アクセスネットワーク装置が端末装置のために設定してもよく、第三タイマーの計時周期はプロトコルに規定されてもよいし、アクセスネットワーク装置が端末装置のために設定してもよい。従って、端末装置がアクセスネットワーク装置のページングメッセージを受信すると、ダウンリンクデータを受信し又はアップリンクデータを送信する必要がある場合、端末装置はダウンリンクデータを受信し又はアップリンクデータを送信してからスリープ状態に入ってもよく、従ってユーザーエクスペリエンスを向上させる。
【００８１】
以上は図２〜図９を参照して本発明の実施例に係るページングメッセージの送信方法及びページングメッセージの受信方法を詳しく説明したが、以下に図１０を参照して本発明の実施例に係るアクセスネットワーク装置を説明する。
【００８２】
図１０は本発明の実施例に係るアクセスネットワーク装置の模式的なブロック図であり、図１０に示すように、アクセスネットワーク装置１０は、
ページングメッセージを決定することに用いられるだけでなく、さらにページング開始時刻及びページング送信持続時間を決定することに用いられる決定モジュール１１と、
該ページング開始時刻及び該ページング送信持続時間に基づいて、ビーム走査方式で端末装置に該ページングメッセージを送信するための送受信モジュール１２と、を含む。
【００８３】
従って、本発明の実施例に係るアクセスネットワーク装置は、ビーム走査方式で端末装置にページングメッセージを送信することにより、ページングメッセージの受信品質を向上させる。
【００８４】
本発明の実施例において、好ましくは、ページング開始時刻及びページング送信持続時間を決定することにおいて、該決定モジュール１１は、具体的に、該端末装置のページング周期に基づいて、該ページング開始時刻及び該ページング送信持続時間を決定することに用いられる。
【００８５】
本発明の実施例において、好ましくは、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、
該端末装置のページング周期に基づいて、該ページング送信持続時間を決定することにおいて、該決定モジュール１１は、具体的に、該第一時間帯の時間長以下の値を該ページング送信持続時間として決定することに用いられる。
【００８６】
本発明の実施例において、好ましくは、該決定モジュール１１がページング開始時刻及びページング送信持続時間を決定する前に、該送受信モジュール１２は、さらに、コアネットワーク装置から送信された第一メッセージを受信することに用いられ、該第一メッセージには該第一時間帯の時間長を示すための情報が含まれる。
【００８７】
本発明の実施例において、好ましくは、該送受信モジュール１２は、さらに、該コアネットワーク装置に第二メッセージを送信することに用いられ、該第二メッセージには該第一時間帯の時間長を示すための情報が含まれる。
【００８８】
本発明の実施例において、好ましくは、該ページング周期を該第一時間帯の時間長のＮ倍とし、Ｎを１より大きい正の整数とする。
【００８９】
本発明の実施例において、好ましくは、該送受信モジュール１２が該ページング開始時刻及び該ページング送信持続時間に基づいて、ビーム走査方式で端末装置に該ページングメッセージを送信する前に、該決定モジュール１１は、さらに、該第一時間帯の時間長に基づいて、該ページングメッセージを送信するために必要なページングビームの数をＭとして決定することに用いられ、Ｍを１以上の正の整数とする。
【００９０】
本発明の実施例において、好ましくは、該ページング開始時刻及び該ページング送信持続時間に基づいて、ビーム走査方式で端末装置にページングメッセージを送信することにおいて、該送受信モジュール１２は、具体的に、Ｌ個のページングビームを用いて該ページング開始時刻にビーム走査方式で端末装置に該ページングメッセージを送信し始めることに用いられ、該Ｌ個のページングビームのうちのいずれか２つのページングビームに対応するページング送信持続時間が異なり、Ｌを２以上の正の整数とする。
【００９１】
本発明の実施例において、好ましくは、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【００９２】
本発明の実施例において、好ましくは、該送受信モジュール１２は、さらに、該端末装置にシステムメッセージを送信することに用いられ、該システムメッセージには該第一時間帯の時間長を示すための情報が含まれる。
【００９３】
本発明の実施例において、好ましくは、該送受信モジュール１２は、さらに、該端末装置から送信された、該ページングメッセージの受信に成功したことを示すための応答メッセージを受信すると、該端末装置に該ページングメッセージを送信することを停止することに用いられる。
【００９４】
本発明の実施例に係るアクセスネットワーク装置は本発明の実施例のページングメッセージの送信方法１００に対応するプロセスを参照してもよく、且つ、該アクセスネットワーク装置における各ユニット／モジュール及び上記他の操作及び／又は機能はそれぞれ方法１００における対応するプロセスを実現するためのものであり、簡潔のために、ここで詳細な説明は省略する。
【００９５】
図１１に本発明の実施例に係る端末装置を示し、図１１に示すように、端末装置２０は、
ページング開始時刻及びページング受信持続時間を決定するための決定モジュール２１と、
該ページング開始時刻及び該ページング受信持続時間に基づいて、ページングメッセージを受信するための送受信モジュール２２と、を含む。
【００９６】
従って、本発明の実施例に係る端末装置は、ページング開始時刻及びページング受信持続時間に基づいてページングメッセージを受信することにより、ページングメッセージの受信品質を向上させる。
【００９７】
本発明の実施例において、好ましくは、該ページングメッセージはアクセスネットワーク装置が該ページング開始時刻及びページング送信持続時間に基づいてビーム走査方式で送信するものであり、該ページング受信持続時間が該ページング送信持続時間以上である。ページングメッセージはアクセスネットワーク装置がビーム走査方式で送信するものであるため、ページングメッセージの受信品質をさらに向上させることができる。
【００９８】
本発明の実施例において、好ましくは、ページング開始時刻及びページング受信持続時間を決定することにおいて、該決定モジュール２１は、具体的に、該端末装置のページング周期に基づいて、該ページング開始時刻及び該ページング受信持続時間を決定することに用いられる。
【００９９】
本発明の実施例において、好ましくは、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、
該端末装置のページング周期に基づいて、該ページング受信持続時間を決定することにおいて、該決定モジュール２１は、具体的に、該第一時間帯の時間長を該ページング受信持続時間として決定することに用いられる。
【０１００】
本発明の実施例において、好ましくは、該ページング開始時刻及び該ページング受信持続時間に基づいて、ページングメッセージを受信することにおいて、該送受信モジュール２２は、具体的に、該ページング開始時刻に第一タイマーを起動し、且つ同時に該第一時間帯内に該ページングメッセージを持続的に監視し始め、該第一タイマーの計時周期を該ページング周期とし、該第一時間帯内に該ページングメッセージが感知されない場合、該端末装置をスリープ状態に入らせることに用いられ、
該決定モジュール２１は、さらに、該第一タイマーがタイムアウトになったと確定するとき、該送受信モジュール２２に該ページングメッセージを改めて持続的に監視し始めさせることに用いられる。
【０１０１】
本発明の実施例において、好ましくは、該ページング開始時刻及び該ページング受信持続時間に基づいて、該ページングメッセージを受信することにおいて、該受信モジュール２２は、具体的に、該ページング開始時刻から始まった該第一時間帯内に該ページングメッセージを持続的に監視し、該第一時間帯内に該ページングメッセージが感知されない場合、該第一時間帯の終了時刻に第二タイマーを起動し、且つ同時に該端末装置をスリープ状態に入らせることに用いられ、該第二タイマーの計時周期を該第二時間帯の時間長とし、
該決定モジュール２１は、さらに、該第二タイマーがタイムアウトになったと確定するとき、該端末装置に該ページングメッセージを改めて持続的に監視し始めさせることに用いられる。
【０１０２】
本発明の実施例において、好ましくは、該ページング周期を該第一時間帯の時間長のＮ倍とし、Ｎを１より大きい正の整数とする。
【０１０３】
本発明の実施例において、好ましくは、該ページングメッセージは該アクセスネットワーク装置がＬ個のページングビームを用いて該ページング開始時刻にビーム走査方式で送信し始めるものであり、該Ｌ個のページングビームのうちのいずれか２つのページングビームに対応するページング送信持続時間が異なり、該第一時間帯の時間長を該Ｌ個のページングビームに対応するページング送信持続時間の最大値以上とし、Ｌを２以上の正の整数とする。
【０１０４】
本発明の実施例において、好ましくは、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【０１０５】
本発明の実施例において、好ましくは、該送受信モジュール２２は、さらに、該アクセスネットワーク装置から送信されたシステムメッセージを受信することに用いられ、該システムメッセージには該第一時間帯の時間長を示すための情報が含まれる。
【０１０６】
本発明の実施例において、好ましくは、該送受信モジュール２２は、さらに、該アクセスネットワーク装置に該ページングメッセージの受信に成功したことを示すための応答メッセージを送信し、該アクセスネットワーク装置から送信された該応答メッセージに対する確認メッセージを受信すると、第三タイマーを起動し、且つ同時に該端末装置をスリープ状態に入らせ、又は、該確認メッセージを受信する時刻からＫ個の時間単位を遅延させた時刻に該第三タイマーを起動し、且つ同時に該端末装置をスリープ状態に入らせることに用いられ、Ｋを１以上の正の整数とする。
【０１０７】
本発明の実施例に係る端末装置は本発明の実施例のページングメッセージの受信方法２００に対応するプロセスを参照してもよく、且つ、該端末装置における各ユニット／モジュール及び上記他の操作及び／又は機能はそれぞれ方法２００における対応するプロセスを実現するためのものであり、簡潔のために、ここで詳細な説明は省略する。
【０１０８】
図１２に本発明の他の実施例に係るアクセスネットワーク装置を示し、図１２に示すように、アクセスネットワーク装置１００はプロセッサ１１０及び送受信機１２０を備え、プロセッサ１１０及び送受信機１２０が互いに接続され、好ましくは、該アクセスネットワーク装置１００はさらにメモリ１３０を備え、メモリ１３０がプロセッサ１１０に接続され、さらに好ましくは、該アクセスネットワーク装置１００はバスシステム１４０を含む。プロセッサ１１０、メモリ１３０及び送受信機１２０がバスシステム１４０によって接続されてもよく、該メモリ１３０は命令を記憶することに用いられてもよく、該プロセッサ１１０は該メモリ１３０に記憶される命令を実行することにより、送受信機１２０を制御して情報を送受信させることに用いられる。該プロセッサ１１０は、ページングメッセージを決定することに用いられ、該プロセッサ１１０は、さらに、ページング開始時刻及びページング送信持続時間を決定することに用いられ、該送受信機１２０は、該ページング開始時刻及び該ページング送信持続時間に基づいて、ビーム走査方式で端末装置に該ページングメッセージを送信することに用いられる。
【０１０９】
従って、本発明の実施例に係るアクセスネットワーク装置は、ビーム走査方式で端末装置にページングメッセージを送信することにより、ページングメッセージの受信品質を向上させる。
【０１１０】
本発明の実施例において、該プロセッサ１１０は中央処理装置（ＣＰＵ：Ｃｅｎｔｒａｌ  Ｐｒｏｃｅｓｓｉｎｇ  Ｕｎｉｔ）であってもよいし、他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいと理解すべきである。汎用プロセッサはマイクロプロセッサであってもよく、又は該プロセッサはさらに任意の通常のプロセッサであってもよい。
【０１１１】
該メモリ１３０は読み出し専用メモリ及びランダムアクセスメモリを含んでもよく、且つプロセッサ１１０に命令及びデータを提供する。メモリ１３０の一部はさらに不揮発性ランダムアクセスメモリを含んでもよい。例えば、メモリ１３０はさらに装置タイプの情報を記憶することができる。
【０１１２】
該バスシステム１３０はデータバスを含むだけでなく、さらに電源バス、制御バス及び状態信号バス等を含んでもよい。明確に説明するために、図面に様々なバスをいずれもバスシステム１３０としてマーキングする。
【０１１３】
実現過程において、上記方法の各ステップをプロセッサ１１０におけるハードウェアの集積論理回路又はソフトウェア形式の命令で完了してもよい。本発明の実施例に開示される方法のステップをハードウェアプロセッサで実行して完了してもよいし、プロセッサにおけるハードウェア及びソフトウェアモジュールの組み合わせで実行して完了してもよい。ソフトウェアモジュールはランダムアクセスメモリ、フラッシュメモリ、読み出し専用メモリ、プログラム可能読み出し専用メモリ又は電気的消去可能プログラム可能メモリ、レジスタ等の本分野における成熟した記憶媒体に位置してもよい。該記憶媒体がメモリ１３０に位置し、プロセッサ１１０がメモリ１３０における情報を読み取り、そのハードウェアと合わせて上記方法のステップを完了する。重複を避けるために、ここで詳細な説明は省略する。
【０１１４】
好ましくは、一実施例として、ページング開始時刻及びページング送信持続時間を決定することにおいて、該プロセッサ１１０は、具体的に、該端末装置のページング周期に基づいて、該ページング開始時刻及び該ページング送信持続時間を決定することに用いられる。
【０１１５】
好ましくは、一実施例として、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、
該端末装置のページング周期に基づいて、該ページング送信持続時間を決定することにおいて、該プロセッサ１１０は、具体的に、該第一時間帯の時間長以下の値を該ページング送信持続時間として決定することに用いられる。
【０１１６】
好ましくは、一実施例として、該プロセッサ１１０がページング開始時刻及びページング送信持続時間を決定する前に、該送受信機１２０は、さらに、コアネットワーク装置から送信された第一メッセージを受信することに用いられ、該第一メッセージには該第一時間帯の時間長を示すための情報が含まれる。
【０１１７】
好ましくは、一実施例として、該送受信機１２０は、さらに、該コアネットワーク装置に第二メッセージを送信することに用いられ、該第二メッセージには該第一時間帯の時間長を示すための情報が含まれる。
【０１１８】
好ましくは、一実施例として、該ページング周期を該第一時間帯の時間長のＮ倍とし、Ｎを１より大きい正の整数とする。
【０１１９】
好ましくは、一実施例として、該送受信機１２０が該ページング開始時刻及び該ページング送信持続時間に基づいて、ビーム走査方式で端末装置に該ページングメッセージを送信する前に、該プロセッサ１２０は、さらに、該第一時間帯の時間長に基づいて、該ページングメッセージを送信するために必要なページングビームの数をＭとして決定することに用いられ、Ｍを１以上の正の整数とする。
【０１２０】
好ましくは、一実施例として、該ページング開始時刻及び該ページング送信持続時間に基づいて、ビーム走査方式で端末装置にページングメッセージを送信することにおいて、該送受信機１２０は、具体的に、Ｌ個のページングビームを用いて該ページング開始時刻にビーム走査方式で端末装置に該ページングメッセージを送信し始めることに用いられ、該Ｌ個のページングビームのうちのいずれか２つのページングビームに対応するページング送信持続時間が異なり、Ｌを２以上の正の整数とする。
【０１２１】
好ましくは、一実施例として、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【０１２２】
好ましくは、一実施例として、該送受信機１２０は、さらに、該端末装置にシステムメッセージを送信することに用いられ、該システムメッセージには該第一時間帯の時間長を示すための情報が含まれる。
【０１２３】
好ましくは、一実施例として、該送受信機１２０は、さらに、該端末装置から送信された、該ページングメッセージの受信に成功したことを示すための応答メッセージを受信すると、該端末装置に該ページングメッセージを送信することを停止することに用いられる。
【０１２４】
本発明の実施例に係るアクセスネットワーク装置は本発明の実施例のページングメッセージの送信方法１００に対応するプロセスを参照してもよく、且つ、該アクセスネットワーク装置における各ユニット／モジュール及び上記他の操作及び／又は機能はそれぞれ方法１００における対応するプロセスを実現するためのものであり、簡潔のために、ここで詳細な説明は省略する。
【０１２５】
図１３に本発明の他の実施例に係る端末装置の模式的なブロック図を示し、図１３に示すように、端末装置２００はプロセッサ２１０及び送受信機２２０を備え、プロセッサ２１０及び送受信機２２０が互いに接続され、好ましくは、該端末装置２００はさらにメモリ２３０を備え、メモリ２３０がプロセッサ２１０に接続され、さらに好ましくは、該端末装置２００はバスシステム２４０を含む。プロセッサ２１０、メモリ２３０及び送受信機２２０がバスシステム２４０によって接続されてもよく、該メモリ２３０は命令を記憶することに用いられてもよく、該プロセッサ２１０は該メモリ２３０に記憶される命令を実行することにより、送受信機２２０を制御して情報を送受信させることに用いられる。該プロセッサ２１０は、ページング開始時刻及びページング受信持続時間を決定することに用いられ、該送受信機２２０は、該ページング開始時刻及び該ページング受信持続時間に基づいて、ページングメッセージを受信することに用いられる。
【０１２６】
従って、本発明の実施例に係る端末装置は、ページング開始時刻及びページング受信持続時間に基づいてページングメッセージを受信することにより、ページングメッセージの受信品質を向上させる。
【０１２７】
本発明の実施例において、該プロセッサ２１０は中央処理装置（ＣＰＵ：Ｃｅｎｔｒａｌ  Ｐｒｏｃｅｓｓｉｎｇ  Ｕｎｉｔ）であってもよいし、他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブル論理デバイス、個別ゲート又はトランジスタ論理デバイス、個別ハードウェアコンポーネント等であってもよいと理解すべきである。汎用プロセッサはマイクロプロセッサであってもよく、又は該プロセッサはさらに任意の通常のプロセッサ等であってもよい。
【０１２８】
該メモリ２３０は読み出し専用メモリ及びランダムアクセスメモリを含んでもよく、且つプロセッサ２１０に命令及びデータを提供する。メモリ２３０の一部はさらに不揮発性ランダムアクセスメモリを含んでもよい。例えば、メモリ２３０はさらに装置タイプの情報を記憶することができる。
【０１２９】
該バスシステム２４０はデータバスを含むだけでなく、さらに電源バス、制御バス及び状態信号バス等を含んでもよい。明確に説明するために、図面に様々なバスをいずれもバスシステム２４０としてマーキングする。
【０１３０】
実現過程において、上記方法の各ステップをプロセッサ２１０におけるハードウェアの集積論理回路又はソフトウェア形式の命令で完了してもよい。本発明の実施例に開示される方法のステップをハードウェアプロセッサで実行して完了してもよいし、プロセッサにおけるハードウェア及びソフトウェアモジュールの組み合わせで実行して完了してもよい。ソフトウェアモジュールはランダムアクセスメモリ、フラッシュメモリ、読み出し専用メモリ、プログラム可能読み出し専用メモリ又は電気的消去可能プログラム可能メモリ、レジスタ等の本分野における成熟した記憶媒体に位置してもよい。該記憶媒体がメモリ２３０に位置し、プロセッサ２１０がメモリ２３０における情報を読み取り、そのハードウェアと合わせて上記方法のステップを完了する。重複を避けるために、ここで詳細な説明は省略する。
【０１３１】
好ましくは、一実施例として、該ページングメッセージはアクセスネットワーク装置が該ページング開始時刻及びページング送信持続時間に基づいてビーム走査方式で送信するものであり、該ページング受信持続時間が該ページング送信持続時間以上である。
【０１３２】
好ましくは、一実施例として、ページング開始時刻及びページング受信持続時間を決定することにおいて、該プロセッサ２１０は、具体的に、該端末装置のページング周期に基づいて、該ページング開始時刻及び該ページング受信持続時間を決定することに用いられる。
【０１３３】
好ましくは、一実施例として、該ページング周期は第一時間帯及び第二時間帯を含み、該第一時間帯は該端末装置が該ページングメッセージを持続的に監視する時間帯であり、該第二時間帯は該端末装置がスリープ状態にある時間帯であり、
該端末装置のページング周期に基づいて、該ページング受信持続時間を決定することにおいて、該プロセッサ２１０は、具体的に、該第一時間帯の時間長を該ページング受信持続時間として決定することに用いられる。
【０１３４】
好ましくは、一実施例として、該ページング開始時刻及び該ページング受信持続時間に基づいて、ページングメッセージを受信することにおいて、該送受信機２２０は、具体的に、該ページング開始時刻に第一タイマーを起動し、且つ同時に該第一時間帯内に該ページングメッセージを持続的に監視し始め、該第一タイマーの計時周期を該ページング周期とし、該第一時間帯内に該ページングメッセージが感知されない場合、該端末装置をスリープ状態に入らせることに用いられ、
該プロセッサ２１０は、さらに、該第一タイマーがタイムアウトになったと確定するとき、該送受信機２２０に該ページングメッセージを改めて持続的に監視し始めさせることに用いられる。
【０１３５】
好ましくは、一実施例として、該ページング開始時刻及び該ページング受信持続時間に基づいて、該ページングメッセージを受信することにおいて、該送受信機２２０は、具体的に、該ページング開始時刻から始まった該第一時間帯内に該ページングメッセージを持続的に監視し、該第一時間帯内に該ページングメッセージが感知されない場合、該第一時間帯の終了時刻に第二タイマーを起動し、且つ同時に該端末装置をスリープ状態に入らせることに用いられ、該第二タイマーの計時周期を該第二時間帯の時間長とし、
該プロセッサ２１０は、さらに、該第二タイマーがタイムアウトになったと確定するとき、該端末装置に該ページングメッセージを改めて持続的に監視し始めさせることに用いられる。
【０１３６】
好ましくは、一実施例として、該ページング周期を該第一時間帯の時間長のＮ倍とし、Ｎを１より大きい正の整数とする。
【０１３７】
好ましくは、一実施例として、該ページングメッセージは該アクセスネットワーク装置がＬ個のページングビームを用いて該ページング開始時刻にビーム走査方式で送信し始めるものであり、該Ｌ個のページングビームのうちのいずれか２つのページングビームに対応するページング送信持続時間が異なり、該第一時間帯の時間長を該Ｌ個のページングビームに対応するページング送信持続時間の最大値以上とし、Ｌを２以上の正の整数とする。
【０１３８】
好ましくは、一実施例として、Ｌの値が２であり、２つのページングビームのうち一方のページングビームに対応するページング送信持続時間が該端末装置の所在セルのセル特定持続監視時間又はプリセット時間であり、該２つのページングビームのうち他方のページングビームに対応するページング送信持続時間が該端末装置の端末装置特定持続監視時間である。
【０１３９】
好ましくは、一実施例として、該送受信機２２０は、さらに、該アクセスネットワーク装置から送信されたシステムメッセージを受信することに用いられ、該システムメッセージには該第一時間帯の時間長を示すための情報が含まれる。
【０１４０】
好ましくは、一実施例として、該送受信機２２０は、さらに、該アクセスネットワーク装置に該ページングメッセージの受信に成功したことを示すための応答メッセージを送信し、該アクセスネットワーク装置から送信された該応答メッセージに対する確認メッセージを受信すると、第三タイマーを起動し、且つ同時に該端末装置をスリープ状態に入らせ、又は、該確認メッセージを受信する時刻からＫ個の時間単位を遅延させた時刻に該第三タイマーを起動し、且つ同時に該端末装置をスリープ状態に入らせることに用いられ、Ｋを１以上の正の整数とする。
【０１４１】
本発明の実施例に係る端末装置は本発明の実施例のページングメッセージの受信方法２００に対応するプロセスを参照してもよく、且つ、該端末装置における各ユニット／モジュール及び上記他の操作及び／又は機能はそれぞれ方法２００における対応するプロセスを実現するためのものであり、簡潔のために、ここで詳細な説明は省略する。
【０１４２】
明細書に言及される「１つの実施例」又は「一実施例」は実施例に関わる特定の特徴、構造又は特性が本発明の少なくとも１つの実施例に含まれることを意味すると理解すべきである。従って、明細書の各箇所に出現した「１つの実施例において」又は「一実施例において」は同じ実施例を指すとは限らない。また、これらの特定の特徴、構造又は特性は任意の適切な方式で１つ又は複数の実施例に結合されてもよい。
【０１４３】
本明細書における用語「及び／又は」は、関連オブジェクトを説明する関連関係に過ぎず、３つの関係が存在してもよいことを示し、例えば、「Ａ及び／又はＢ」は、「Ａが独立して存在する」、「Ａ及びＢが同時に存在する」、「Ｂが独立して存在する」の３つの状況を示してもよいと理解すべきである。また、本明細書における符号「／」は、一般的に関連オブジェクトが「又は」関係であることを示す。
【０１４４】
本発明の様々な実施例において、上記各過程の番号は実行順序を意味せず、各過程の実行順序はその機能及び内部論理によって決定されるべきであり、本発明の実施例の実施過程を制限するためのものではないと理解すべきである。
【０１４５】
当業者であれば、本明細書に開示される実施例を参照して説明した各方法ステップ及びユニットは、電子ハードウェア、コンピュータソフトウェア又はそれらの組み合わせで実現でき、ハードウェア及びソフトウェアの互換性を明確に説明するために、上記説明において既に機能に基づいて各実施例のステップ及び構成を一般的に説明したと理解される。これらの機能をハードウェア又はソフトウェア方式で実行するかは、技術案の特定応用及び設計制約条件によって決定される。当業者は各特定の応用に対して様々な方法で説明される機能を実現することができるが、このような実現は本発明の範囲を超えると見なされるべきではない。
【０１４６】
本明細書に開示される実施例を参照して説明した方法又はステップはハードウェア、プロセッサで実行するソフトウェアプログラム、又はそれらの組み合わせで実施されてもよい。ソフトウェアプログラムはランダムアクセスメモリ（Ｒａｎｄｏｍ  Ａｃｃｅｓｓ  Ｍｅｍｏｒｙ、ＲＡＭ）、メモリ、読み出し専用メモリ（ＲＯＭ：Ｒｅａｄ−Ｏｎｌｙ  Ｍｅｍｏｒｙ）、電気的プログラム可能読み出し専用メモリ（ＥＰＲＯＭ：Ｅｌｅｃｔｒｉｃａｌｌｙ  Ｐｒｏｇｒａｍｍａｂｌｅ  Ｒｅａｄ−Ｏｎｌｙ  Ｍｅｍｏｒｙ）、電気的消去可能プログラム可能読み出し専用メモリ（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、レジスタ、ハードディスク、リムーバブルディスク、コンパクトディスク読み出し専用メモリ（ＣＤ−ＲＯＭ：Ｃｏｍｐａｃｔ  Ｄｉｓｃ  Ｒｅａｄ−Ｏｎｌｙ  Ｍｅｍｏｒｙ）、又は技術分野における公知の任意の他のタイプの記憶媒体に設定されてもよい。
【０１４７】
本願に係るいくつかの実施例において、開示されるシステム、装置及び方法は、他の方式で実現されてもよいと理解すべきである。例えば、以上に説明される装置実施例は模式的なものに過ぎず、例えば、該ユニットの区別は論理機能上の区別に過ぎず、実際に実現するとき、他の区別方式を用いてもよく、例えば複数のユニット又はコンポーネントは他のシステムに結合又は統合されてもよく、又はいくつかの特徴は省略してもよく、又は実行しなくてもよい。
【０１４８】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１４９】
また、本発明の各実施例において、各機能ユニットは１つの処理ユニットに統合されてもよく、各ユニットは独立して物理的に存在してもよく、２つ又は２つ以上のユニットは１つのユニットに統合されてもよい。
【０１５０】
図面を参照して好適な実施例によって本発明を詳しく説明したが、本発明はこれに限らない。当業者であれば、本発明の趣旨及び実質を逸脱せずに、本発明の実施例に対して種々の等価修正又は置換を行うことができ、これらの修正又は置換はいずれも本発明の範囲内に含まれるべきである。
【図１】
2019526204.tif 000003
【図２】
2019526204.tif 000004
【図３】
2019526204.tif 000005
【図４】
2019526204.tif 000006
【図５】
2019526204.tif 000007
【図６】
2019526204.tif 000008
【図７】
2019526204.tif 000009
【図８】
2019526204.tif 000010
【図９】
2019526204.tif 000011
【図１０】
2019526204.tif 000012
【図１１】
2019526204.tif 000013
【図１２】
2019526204.tif 000014
【図１３】
2019526204.tif 000015
【手続補正書】
【提出日】平成31年2月4日(2019.2.4)
【手続補正１】
【補正対象書類名】特許請求の範囲
【補正対象項目名】全文
【補正方法】変更
【補正の内容】
【特許請求の範囲】
【請求項１】
ページングメッセージの受信方法であって、
端末装置がページングメッセージのページング開始時刻及びページング受信持続時間を決定することと、
前記端末装置が前記ページング開始時刻及び前記ページング受信持続時間に基づいて、ページングメッセージを受信することと、を含む、ことを特徴とする前記ページングメッセージの受信方法。
【請求項２】
前記ページングメッセージはアクセスネットワーク装置が前記ページング開始時刻及びページング送信持続時間に基づいてビーム走査方式で送信するものであり、前記ページング受信持続時間が前記ページング送信持続時間以上であり、
任意選択で、前記端末装置がページング開始時刻及びページング受信持続時間を決定することは、
前記端末装置が前記端末装置のページング周期に基づいて、前記ページング開始時刻及び前記ページング受信持続時間を決定することを含むことを特徴とする
請求項１に記載の方法。
【請求項３】
前記ページング周期は第一時間帯及び第二時間帯を含み、前記第一時間帯は前記端末装置が前記ページングメッセージを持続的に監視する時間帯であり、前記第二時間帯は前記端末装置がスリープ状態にある時間帯であり、
前記端末装置が前記端末装置のページング周期に基づいて、前記ページング受信持続時間を決定することは、
前記端末装置が前記第一時間帯の時間長を前記ページング受信持続時間として決定することを含み、
任意選択で、前記ページング周期を前記第一時間帯の時間長のＮ倍とし、Ｎを１より大きい正の整数とすることを特徴とする
請求項２に記載の方法。
【請求項４】
前記端末装置が前記ページング開始時刻及び前記ページング受信持続時間に基づいて、前記ページングメッセージを受信することは、
前記端末装置が前記ページング開始時刻に第一タイマーを起動し、且つ同時に前記第一時間帯内に前記ページングメッセージを持続的に監視し始め、前記第一タイマーの計時周期を前記ページング周期とすることと、
前記端末装置が前記第一時間帯内に前記ページングメッセージが感知されない場合、前記端末装置がスリープ状態に入ることと、
前記端末装置は前記第一タイマーがタイムアウトになったと確定するとき、前記端末装置が前記ページングメッセージを改めて持続的に監視し始めることと、を含むこと、
又は、
前記端末装置が前記ページング開始時刻及び前記ページング受信持続時間に基づいて、前記ページングメッセージを受信することは、
前記端末装置が前記ページング開始時刻から始まった前記第一時間帯内に前記ページングメッセージを持続的に監視することと、
前記端末装置が前記第一時間帯内に前記ページングメッセージが感知されない場合、前記端末装置が前記第一時間帯の終了時刻に第二タイマーを起動し、且つ同時にスリープ状態に入り、前記第二タイマーの計時周期を前記第二時間帯の時間長とすることと、
前記端末装置は前記第二タイマーがタイムアウトになったと確定するとき、前記端末装置が前記ページングメッセージを改めて持続的に監視し始めることと、を含むことを特徴とする
請求項３に記載の方法。
【請求項５】
前記ページングメッセージは前記アクセスネットワーク装置がＬ個のページングビームを用いて前記ページング開始時刻にビーム走査方式で送信し始めるものであり、前記Ｌ個のページングビームのうちのいずれか２つのページングビームに対応するページング送信持続時間が異なり、前記第一時間帯の時間長を前記Ｌ個のページングビームに対応するページング送信持続時間の最大値以上とし、Ｌを２以上の正の整数であり、
好ましく、Ｌの値が２であり、２つのページングビームのうち一方のページングビームに対応するページング送信持続時間が前記端末装置の所在セルのセル特定持続監視時間又はプリセット時間であり、前記２つのページングビームのうち他方のページングビームに対応するページング送信持続時間が前記端末装置の端末装置特定持続監視時間であることを特徴とする
請求項３〜４のいずれか１項に記載の方法。
【請求項６】
前記方法は、さらに、
前記端末装置が前記アクセスネットワーク装置に前記ページングメッセージの受信に成功したことを示すための応答メッセージを送信することと、
前記端末装置が前記アクセスネットワーク装置から送信された前記応答メッセージに対する確認メッセージを受信すると、前記端末装置が第三タイマーを起動し、且つ同時にスリープ状態に入り、又は、前記端末装置が前記確認メッセージを受信する時刻からＫ個の時間単位を遅延させた時刻に前記第三タイマーを起動し、且つ同時にスリープ状態に入り、Ｋを１以上の正の整数とすることと、を含むことを特徴とする
請求項２〜５のいずれか１項に記載の方法。
【請求項７】
端末装置であって、
ページングメッセージのページング開始時刻及びページング受信持続時間を決定するための決定モジュールと、
前記ページング開始時刻及び前記ページング受信持続時間に基づいて、ページングメッセージを受信するための送受信モジュールと、を含む、ことを特徴とする前記端末装置。
【請求項８】
前記ページングメッセージはアクセスネットワーク装置が前記ページング開始時刻及びページング送信持続時間に基づいてビーム走査方式で送信するものであり、前記ページング受信持続時間が前記ページング送信持続時間以上であり、
任意選択で、ページング開始時刻及びページング受信持続時間を決定することにおいて、前記決定モジュールは、
前記端末装置のページング周期に基づいて、前記ページング開始時刻及び前記ページング受信持続時間を決定することに用いられることを特徴とする
請求項７に記載の端末装置。
【請求項９】
前記ページング周期は第一時間帯及び第二時間帯を含み、前記第一時間帯は前記端末装置が前記ページングメッセージを持続的に監視する時間帯であり、前記第二時間帯は前記端末装置がスリープ状態にある時間帯であり、
前記端末装置のページング周期に基づいて、前記ページング受信持続時間を決定することにおいて、前記決定モジュールは、具体的に、
前記第一時間帯の時間長を前記ページング受信持続時間として決定することに用いられ、
任意選択で、前記ページング周期を前記第一時間帯の時間長のＮ倍とし、Ｎを１より大きい正の整数とすることを特徴とする
請求項８に記載の端末装置。
【請求項１０】
前記ページング開始時刻及び前記ページング受信持続時間に基づいて、ページングメッセージを受信することにおいて、前記送受信モジュールは、具体的に、
前記ページング開始時刻に第一タイマーを起動し、且つ同時に前記第一時間帯内に前記ページングメッセージを持続的に監視し始め、前記第一タイマーの計時周期を前記ページング周期とし、
前記第一時間帯内に前記ページングメッセージが感知されない場合、前記端末装置をスリープ状態に入らせることに用いられ、
前記決定モジュールは、さらに、前記第一タイマーがタイムアウトになったと確定するとき、前記送受信モジュールに前記ページングメッセージを改めて持続的に監視し始めさせることに用いられることを特徴とする
請求項９に記載の端末装置。
【請求項１１】
前記ページング開始時刻及び前記ページング受信持続時間に基づいて、前記ページングメッセージを受信することにおいて、前記受信モジュールは、具体的に、
前記ページング開始時刻から始まった前記第一時間帯内に前記ページングメッセージを持続的に監視し、
前記第一時間帯内に前記ページングメッセージが感知されない場合、前記第一時間帯の終了時刻に第二タイマーを起動し、且つ同時に前記端末装置をスリープ状態に入らせることに用いられ、前記第二タイマーの計時周期を前記第二時間帯の時間長とし、
前記決定モジュールは、さらに、前記第二タイマーがタイムアウトになったと確定するとき、前記端末装置に前記ページングメッセージを改めて持続的に監視し始めさせることに用いられることを特徴とする
請求項９に記載の端末装置。
【請求項１２】
前記ページングメッセージは前記アクセスネットワーク装置がＬ個のページングビームを用いて前記ページング開始時刻にビーム走査方式で送信し始めるものであり、前記Ｌ個のページングビームのうちのいずれか２つのページングビームに対応するページング送信持続時間が異なり、前記第一時間帯の時間長を前記Ｌ個のページングビームに対応するページング送信持続時間の最大値以上とし、Ｌを２以上の正の整数とすることを特徴とする
請求項９〜１１のいずれか１項に記載の端末装置。
【請求項１３】
Ｌの値が２であり、２つのページングビームのうち一方のページングビームに対応するページング送信持続時間が前記端末装置の所在セルのセル特定持続監視時間又はプリセット時間であり、前記２つのページングビームのうち他方のページングビームに対応するページング送信持続時間が前記端末装置の端末装置特定持続監視時間であることを特徴とする
請求項１２に記載の端末装置。
【請求項１４】
前記送受信モジュールは、さらに、
前記アクセスネットワーク装置から送信されたシステムメッセージを受信することに用いられ、前記システムメッセージには前記第一時間帯の時間長を示すための情報が含まれることを特徴とする
請求項９〜１３のいずれか１項に記載の端末装置。
【請求項１５】
前記送受信モジュールは、さらに、
前記アクセスネットワーク装置に前記ページングメッセージの受信に成功したことを示すための応答メッセージを送信し、
前記アクセスネットワーク装置から送信された前記応答メッセージに対する確認メッセージを受信すると、第三タイマーを起動し、且つ同時に前記端末装置をスリープ状態に入らせ、又は、前記確認メッセージを受信する時刻からＫ個の時間単位を遅延させた時刻に前記第三タイマーを起動し、且つ同時に前記端末装置をスリープ状態に入らせることに用いられ、Ｋを１以上の正の整数とすることを特徴とする
請求項８〜１４のいずれか１項に記載の端末装置。
【国際調査報告】
2019526204.tif 000016
2019526204.tif 000017
2019526204.tif 000018
2019526204.tif 000019
2019526204.tif 000020
2019526204.tif 000021